(57)【要約】動画編集装置（１００）は、動画を分析して該動画の特徴を得る動画分析手段（２００）と、動画のうち編集対象として特定すべきシーンの特徴を指定可能な指定手段（３１０）と、動画のうち指定された特徴に合致する特徴を有するシーンを、編集対象として特定する特定手段（３２０）と、動画における特定されたシーンの開始及び終了時刻を含むシーン情報を提示する提示手段（４００）とを備える。
2009019774.tif 000002
【特許請求の範囲】
【請求項１】
動画を分析して該動画の特徴を得る動画分析手段と、
前記動画のうち編集対象として特定すべきシーンの特徴を指定可能な指定手段と、
前記動画のうち前記指定された特徴に合致する特徴を有するシーンを、前記編集対象として特定する特定手段と、
前記動画における前記特定されたシーンの開始及び終了時刻を含むシーン情報を提示する提示手段と
を備えたことを特徴とする動画編集装置。
【請求項２】
前記動画分析手段は、
前記動画を構成する複数のフレームの各々について色の特性を分析する色特性分析手段と、
前記動画を構成する複数のフレームの各々について輝度の特性を分析する輝度特性分析手段と、
前記動画を構成する複数のフレームの各々について動きの特性を分析する動き特性分析手段と、
前記動画を構成する複数のフレームの各々について空間周波数の特性を分析する空間周波数特性分析手段と
のうち少なくとも１つの特性分析手段を有することを特徴とする請求項１に記載の動画編集装置。
【請求項３】
前記指定手段は、前記特定すべきシーンの特徴の種類及びレベルを指定可能であり、
前記特定手段は、前記指定された種類の特徴について前記指定されたレベルを基準として前記合致するか否かを判定することにより、前記合致する特徴を有するシーンを特定することを特徴とする請求項１に記載の動画編集装置。
【請求項４】
前記特定されたシーンに係る前記シーン情報の履歴を保持する履歴保持手段と、
前記保持された履歴に含まれる少なくとも２つシーン情報を比較することにより、該少なくとも２つのシーン情報が互いに異なる差異部分又は互いに共通する共通部分を抽出する比較手段と
を更に備え、
前記提示手段は、前記差異部分又は前記共通部分を更に提示することを特徴とする請求項１に記載の動画編集装置。
【請求項５】
前記提示手段は、前記特定されたシーンを再生する再生手段を有することを特徴とする請求項１に記載の動画編集装置。
【請求項６】
前記提示手段は、前記差異部分又は前記共通部分に対応するシーンを再生する再生手段を有することを特徴とする請求項４に記載の動画編集装置。
【請求項７】
動画を分析して該動画の特徴を得る動画分析工程と、
前記動画のうち編集対象として特定すべきシーンの特徴を指定する指定工程と、
前記動画のうち前記指定された特徴に合致する特徴を有するシーンを、前記編集対象として特定する特定工程と、
前記動画における前記特定されたシーンの開始及び終了時刻を含むシーン情報を提示する提示工程と
を備えたことを特徴とする動画編集方法。
【請求項８】
コンピュータを、
動画を分析して該動画の特徴を得る動画分析手段と、
前記動画のうち編集対象として特定すべきシーンの特徴を指定可能な指定手段と、
前記動画のうち前記指定された特徴に合致する特徴を有するシーンを、前記編集対象として特定する特定手段と、
前記動画における前記特定されたシーンの開始及び終了時刻を含むシーン情報を提示する提示手段
として機能させることを特徴とするコンピュータプログラム。
【発明の詳細な説明】
【技術分野】
【０００１】
本発明は、例えばビデオカメラ等により撮影された映像等の動画を編集する動画編集装置及び方法、並びにコンピュータをこのような動画編集装置として機能させるコンピュータプログラムの技術分野に関する。
【背景技術】
【０００２】
ビデオカメラで撮影した映像を編集する作業は、専門家のみならず一般人によっても広く行われている。このような映像編集は、撮影後に専用機材やパーソナルコンピュータを用いて行われるのが一般的である。【０００３】
このような映像編集では、一般的には、撮影した映像を再生して映像の内容をユーザが確認しながら、不要なシーン（或いは残したいシーン）の開始点及び終了点で映像をカットして、不要なシーンを削除するという作業が行われる。このような作業では、映像内容の殆ど全てをユーザが確認する必要があるため、特に映像時間が例えば数十分或いは１時間を越える程度に長い場合には、作業に要する時間及び労力或いは手間が増大してしまうという問題点がある。このため、ユーザは、映像編集を殆ど或いは全く行わなくなってしまい、撮影された映像をそのままの状態で、例えばデジタルビデオテープ、ＤＶＤ、ハードディスク等の記録媒体に保存しておくことが多い。撮影されたままの映像には、例えば撮影に失敗したシーンや無駄に撮影したシーンなどの不要なシーンが含まれることが多いので、撮影されたままの映像が記録媒体に保存されることは、記録媒体の無駄な消費や記録媒体が再利用されないという問題にもつながる。【０００４】
そこで、例えば特許文献１には、操作ミス、手ぶれ等が原因で見苦しいシーン等の不要なシーンを自動的に削除する技術が開示されている。【０００５】
【特許文献１】特開平０５−２３６４１１号公報
【発明の開示】
【発明が解決しようとする課題】
【０００６】
しかしながら、特許文献１に開示された技術では、不要なシーンを自動的に削除するため、編集結果に不要なシーンが残っていた場合や重要と思っていたシーンが削除されてしまったりしていた場合など、編集結果がユーザの意図とは異なる場合には、ユーザは編集を始めからやり直さなければならず、しかも、やり直しの際に要する作業は、初回の編集に要する作業と殆ど同じであるという問題点がある。このため、このような作業を繰り返しても、ユーザが意図する編集結果を得ることができないおそれがある。仮に、ユーザが意図する編集結果を得ることができるとしても、ユーザが意図する編集結果を得るまでに繰り返される作業に要する時間及び労力或いは手間が増大してしまうおそれがある。【０００７】
本発明は、例えば上述した従来の問題点に鑑みなされたものであり、ユーザが編集作業やその確認作業を容易に行うことを可能とする動画編集装置及び方法、並びコンピュータをそのような動画編集装置として機能させるコンピュータプログラムを提供することを課題とする。
【課題を解決するための手段】
【０００８】
上記課題を解決するために、本発明の動画編集装置は、動画を分析して該動画の特徴を得る動画分析手段と、前記動画のうち編集対象として特定すべきシーンの特徴を指定可能な指定手段と、前記動画のうち前記指定された特徴に合致する特徴を有するシーンを、前記編集対象として特定する特定手段と、前記動画における前記特定されたシーンの開始及び終了時刻を含むシーン情報を提示する提示手段とを備える。【０００９】
本発明の動画編集装置によれば、動画の編集に際し先ず、動画分析手段によって、動画を分析して該動画の特徴を得る。ここで、本発明に係る「動画の特徴」とは、例えばビデオカメラ等で撮影された動画に含まれる例えば手ブレ、ズーム速度、パンのゆらぎ（即ち、ビデオカメラが左右方向に故意に振られながら撮影された際に生じる動画の左右方向のゆらぎ)等の撮影に起因した動画の特徴を意味する。より具体的には、動画分析手段は、例えば、動画を構成する複数のフレームの各々について、色の特性、輝度の特性、動きの特性、空間周波数の特性等のフレームの特性を分析することで、動画の特徴を得る。尚、得られた動画の特徴は、当該動画分析手段が有する或いは外部に設けられた記憶手段に記録される。【００１０】
続いて、編集対象として特定すべきシーンの特徴が指定手段によって指定されると、指定された特徴に合致する特徴を有するシーンが特定手段によって特定される。即ち、例えば、特定すべきシーンの特徴として、「手ブレ」が所定の閾値以上であることがユーザから指定手段によって指定されると、特定手段は、動画分析手段によって得られた動画の特徴に基づいて、動画に含まれる複数のシーンから「手ブレ」が所定の閾値以上であるシーンを特定する。よって、ユーザは、編集対象として特定したいシーンの特徴を指定手段によって指定することで、編集対象を直感的且つ一括的に特定することができる。【００１１】
続いて、特定手段によって特定されたシーンの開始及び終了時刻とを含むシーン情報が提示手段によって提示される。ここで、本発明に係る「シーン情報」とは、シーンが開始する開始時刻及び該シーンが終了する終了時刻を含む、該シーンを特定するための情報を意味する。より具体的には、提示手段は、例えば、特定されたシーンの開始及び終了時刻を、表示手段における画面上にグラフィカルに表示させることで、シーン情報を提示する。よって、ユーザは、提示されたシーン情報を見ることで編集対象として特定されたシーンの確認作業を容易に行うことができる。【００１２】
以上説明したように本発明の動画編集装置によれば、ユーザは、編集対象として特定したいシーンの特徴を指定手段によって指定することで、編集対象を直感的且つ一括的に特定することができる。更に、ユーザは、提示されたシーン情報を見ることで編集対象として特定されたシーンの確認作業を容易に行うことができる。これらの結果、ユーザの編集作業に要する時間及び労力或いは手間を低減できる。即ち、ユーザは容易に編集作業を行うことができる。【００１３】
本発明の動画編集装置の一態様では、前記動画分析手段は、前記動画を構成する複数のフレームの各々について色の特性を分析する色特性分析手段と、前記動画を構成する複数のフレームの各々について輝度の特性を分析する輝度特性分析手段と、前記動画を構成する複数のフレームの各々について動きの特性を分析する動き特性分析手段と、前記動画を構成する複数のフレームの各々について空間周波数の特性を分析する空間周波数特性分析手段とのうち少なくとも１つの特性分析手段を有する。【００１４】
この態様によれば、色特性分析手段は、各フレームの色の特性（例えば、各フレームにおける支配的な色、色の割合など)を分析する。輝度特性分析手段は、各フレームの輝度の特性（例えば、各フレームにおける平均輝度、最大輝度、最小輝度など）を分析する。動き特性分析手段は、各フレームの動きの特性（例えば、当該フレームと相前後するフレームとの間における全体的或いは局所的な動きベクトルの分布など）を分析する。空間周波数特性分析手段は、各フレームの空間周波数の特性（例えば、高速フーリエ変換（ＦＦＴ：Fast Fourier Transform）或いは離散コサイン変換（ＤＣＴ：Discrete Cosine Transform）による、各フレームにおける周波数成分の分布など)を分析する。動画分析手段は、色特性分析手段、輝度特性分析手段、動き特性分析手段及び空間周波数特性分析手段のうち少なくとも１つの特性手段を有するので、動画の特徴を確実に得ることができる。【００１５】
本発明の動画編集装置の他の態様では、前記指定手段は、前記特定すべきシーンの特徴の種類及びレベルを指定可能であり、前記特定手段は、前記指定された種類の特徴について前記指定されたレベルを基準として前記合致するか否かを判定することにより、前記合致する特徴を有するシーンを特定する。【００１６】
この態様によれば、ユーザは、特徴の種類（例えば手ブレ、ズーム速度、パンのゆらぎ等）及びレベル（即ち、例えば大、中、小等、特徴の程度を示す特徴量の大きさ）を指定することにより、編集対象として特定すべきシーンを特定することができる。【００１７】
本発明の動画編集装置の他の態様では、前記特定されたシーンに係る前記シーン情報の履歴を保持する履歴保持手段と、前記保持された履歴に含まれる少なくとも２つシーン情報を比較することにより、該少なくとも２つのシーン情報が互いに異なる差異部分又は互いに共通する共通部分を抽出する比較手段とを更に備え、前記提示手段は、前記差異部分又は前記共通部分を更に提示する。【００１８】
この態様によれば、履歴保持手段は、特定手段によって特定されたシーンに係るシーン情報の履歴を保持する。即ち、履歴保持手段は、特定手段によってシーンが特定される毎に、該特定されたシーンの開始及び終了時刻を含むシーン情報を、例えば当該履歴保持手段が有する或いは外部に設けられた記憶手段に記録する。言い換えれば、ユーザが指定手段によって編集対象として特定すべきシーンの特徴を指定する毎（即ち、ユーザが１回の編集操作を行う毎）に、指定された特徴に合致するシーンが特定手段によって特定されると共に特定されたシーンに係るシーン情報が、履歴保持手段によって保持される。【００１９】
比較手段は、保持された履歴に含まれる複数のシーン情報のうち、例えばユーザにより指定された少なくとも２つのシーン情報を比較することにより、該少なくとも２つのシーン情報間の差異部分又は共通部分を抽出する。即ち、例えば、ユーザが１回目の編集操作を行った際（即ち、ユーザが１回目に指定手段により特徴を指定した際）に特定されたシーンに係るシーン情報と、ユーザが２回目に編集操作を行った際（即ち、ユーザが２回目に指定手段により特徴を指定した際）に特定されたシーンに係るシーン情報との間の差異が、比較手段によって抽出される。【００２０】
このように抽出された差異部分又は共通部分は、提示手段によってユーザに提示される。よって、ユーザは、差異部分又は共通部分を認識することができる。従って、ユーザは、例えば、差異部分又は共通部分に基づいて、ユーザが意図する編集結果を得るために次に行うべき編集操作を容易に決定することができる。この結果、ユーザはより一層容易に編集作業を行うことができる。【００２１】
本発明の動画編集装置の他の態様では、前記提示手段は、前記特定されたシーンを再生する再生手段を有する。【００２２】
この態様によれば、ユーザは、特定されたシーンの内容を確認することができる。よって、ユーザは、特定されたシーンが、ユーザが意図するシーンであるか否かを容易に判断することができる。【００２３】
上述した、履歴保持手段及び比較手段を更に備える態様では、前記提示手段は、前記差異部分又は前記共通部分に対応するシーンを再生する再生手段を有してもよい。【００２４】
この場合には、ユーザは、差異部分又は共通部分の内容を確認することができる。よって、ユーザは、例えば２つのシーン情報間の差異部分の内容のみを確認することで、ユーザが意図する編集結果を得るために次に行うべき編集作業を容易に決定することができる。ここで特に、仮に編集操作毎（例えば、元の動画から不要なシーンを自動的に削除する毎）に編集結果（例えば、不要なシーンが自動的に削除された後の動画）のすべての内容を確認する場合と比較して、無駄な確認作業を低減でき、ユーザが意図する編集結果を得るまでの編集作業に要する時間及び労力或いは手間を確実に低減できる。【００２５】
尚、再生手段は、差異部分又は共通部分に対応するシーンの一部をユーザからの指示に応じて選択的に再生するように構成してもよい。【００２６】
上記課題を解決するために、本発明の動画編集方法は、動画を分析して該動画の特徴を得る動画分析工程と、前記動画のうち編集対象として特定すべきシーンの特徴を指定する指定工程と、前記動画のうち前記指定された特徴に合致する特徴を有するシーンを、前記編集対象として特定する特定工程と、前記動画における前記特定されたシーンの開始及び終了時刻を含むシーン情報を提示する提示工程とを備える。【００２７】
本発明の動画編集方法によれば、上述した本発明の動画編集装置が享受する利益と同様の利益を享受することができる。【００２８】
尚、本発明の動画編集方法においても、上述した本発明の動画編集装置における各種態様と同様の各種態様を採ることが可能である。【００２９】
上記課題を解決するために、本発明のコンピュータプログラムは、コンピュータを、動画を分析して該動画の特徴を得る動画分析手段と、前記動画のうち編集対象として特定すべきシーンの特徴を指定可能な指定手段と、前記動画のうち前記指定された特徴に合致する特徴を有するシーンを、前記編集対象として特定する特定手段と、前記動画における前記特定されたシーンの開始及び終了時刻を含むシーン情報を提示する提示手段として機能させる。【００３０】
本発明のコンピュータプログラムによれば、当該コンピュータプログラムを格納するＣＤ−ＲＯＭ、ＤＶＤ−ＲＯＭ等の記録媒体から、当該コンピュータプログラムを、動画編集装置に備えられたコンピュータに読み込んで実行させれば、或いは、当該コンピュータプログラムを通信手段を介してダウンロードさせた後に実行させれば、上述した本発明に係る動画編集装置を比較的簡単に構築できる。これにより、上述した本発明に係る動画編集装置の場合と同様に、ユーザが編集作業やその確認作業を容易に行うことが可能となる。【００３１】
尚、本発明のコンピュータプログラムにおいても、上述した本発明の画像表示制御装置における各種態様と同様の各種態様を採ることが可能である。【００３２】
以上詳細に説明したように、本発明の動画編集装置によれば、動画分析手段と、指定手段と、特定手段と、提示手段とを備え、本発明の動画編集方法によれば、動画分析工程と、指定工程と、特定工程と、提示工程とを備えるので、ユーザが編集作業やその確認作業を容易に行うことを可能とする。本発明のコンピュータプログラムによれば、コンピュータを動画分析手段、指定手段、特定手段及び提示手段として機能させるので、上述した動画編集装置を比較的容易に構築できる。【００３３】
本発明の作用及び他の利得は次に説明する実施形態から明らかにされる。
【図面の簡単な説明】
【００３４】
【図１】第１実施形態に係る動画編集装置の構成を概念的に示すブロック図である。
【図２】第１実施形態に係る特徴データの書式を概念的に示す概念図である。
【図３】第１実施形態に係る特徴指定部におけるＧＵＩを示す図である。
【図４】変形例における図３と同趣旨の図である。
【図５】第１実施形態に係る制御データの一例を概念的に示す概念図である。
【図６】第１実施形態に係る履歴保持部によって保持されるシーン情報の履歴の一例を概念的に示す概念図である。
【図７】第１実施形態に係る編集結果表示部による表示の一例を示す図である。
【図８】第１実施形態に係る動画編集装置の動作を概念的に示すフローチャートである。
【図９】第１実施形態に係る動画編集装置の動作を概念的に示すフローチャートである。
【図１０】ユーザが第１実施形態に係る動画編集装置を用いて映像データの編集を行う際に編集結果表示部によって表示される編集結果の一例を示す図である。
【図１１】ユーザが第１実施形態に係る動画編集装置を用いて映像データの編集を行う際に編集結果表示部によって表示される編集結果の一例を示す図である。
【図１２】ユーザが第１実施形態に係る動画編集装置を用いて映像データの編集を行う際に編集結果表示部によって表示される編集結果の一例を示す図である。
【図１３】ユーザが第１実施形態に係る動画編集装置を用いて映像データの編集を行う際に編集結果表示部によって表示される編集結果の一例を示す図である。
【図１４】ユーザが第１実施形態に係る動画編集装置を用いて映像データの編集を行う際に編集結果表示部によって表示される編集結果の他の例を示す図である。
【図１５】ユーザが第１実施形態に係る動画編集装置を用いて映像データの編集を行う際に編集結果表示部によって表示される編集結果の他の例を示す図である。
【符号の説明】
【００３５】
１００…映像データ蓄積部
２００…映像分析部
２１０…時間情報抽出部
２２０…色特性分析部
２３０…輝度特性分析部
２４０…動き特性分析部
２５０…空間周波数分析部
２６０…特徴データ生成部
２７０…特徴データ蓄積部
３００…編集制御部
３１０…特徴指定部
３２０…シーン特定部
３３０…履歴保持部
３４０…履歴比較部
４００…編集結果確認部
４１０…編集結果表示部
４２０…再生部
【発明を実施するための最良の形態】
【００３６】
以下、本発明の実施形態について図を参照しつつ説明する。
＜第１実施形態＞
第１実施形態に係る動画編集装置について説明する。【００３７】
先ず、第１実施形態に係る動画編集装置の構成について、図１を参照して説明する。ここに図１は、本実施形態に係る動画編集装置の構成を概念的に示すブロック図である。【００３８】
図１において、本実施形態に係る動画編集装置１０は、例えばビデオカメラ等により撮影された映像（即ち、動画）のデータを編集する装置である。【００３９】
図１に示すように、動画編集装置１０は、映像データ蓄積部１００と、映像分析部２００と、編集制御部３００と、編集結果確認部４００とを備えている。【００４０】
映像データ蓄積部１００は、例えばビデオカメラ等により撮影された映像のデータ（以下、「映像データ」という。）が入力され、該入力された映像データを蓄積する。映像データ蓄積部１００は、例えばハードディスク、メモリ等の記録媒体を含んでいる。【００４１】
映像分析部２００は、本発明に係る「動画分析手段」の一例であり、映像データが入力され、該入力された映像データを分析して映像データの特徴を得る。より詳細には、映像分析部２００は、時間情報抽出部２１０と、色特性分析部２２０と、輝度特性分析部２３０と、動き特性分析部２４０と、空間周波数特性分析部２５０と、特徴データ生成部２６０と、特徴データ蓄積部２７０とを有している。【００４２】
時間情報抽出部２１０は、映像データに含まれる例えばフレーム番号、タイムコード等の時間情報を抽出（或いは分離）する。【００４３】
色特性分析部２２０は、映像データに係る映像を構成する複数のフレームの各々の色の特性（即ち、色特性）を分析する。色特性分析部２２０は、色特性として、例えば、各フレームにおける支配的な色（即ち、支配色）や色の割合を抽出する。【００４４】
輝度特性分析部２３０は、映像データに係る映像を構成する複数のフレームの各々の輝度の特性（即ち、輝度特性）を分析する。輝度特性分析部２３０は、輝度特性として、例えば、各フレームにおける平均輝度、最大輝度及び最小輝度を抽出する。【００４５】
動き特性分析部２４０は、映像データに係る映像を構成する複数のフレームの各々の動きの特性（即ち、動き特性）を分析する。動き特性分析部２４０は、例えば、各フレームについて、当該フレームと相前後するフレームとの間における全体的或いは局所的な動きベクトルの分布を分析することで、動き特性として、カメラワーク情報（即ち、ビデオカメラが動いた方向や速度）や動き領域情報（即ち、映像内で動く領域の数、位置及び面積）を抽出する。【００４６】
空間周波数特性分析部２５０は、映像データに係る映像を構成する複数のフレームの各々の空間周波数の特性（即ち、空間周波数特性）を分析する。空間周波数特性分析部２５０は、各フレームが分割された分割領域毎に例えばＦＦＴ或いはＤＣＴ等による周波数成分を算出し、空間周波数特性として、低周波領域情報（即ち、所定周波数よりも低い周波数成分からなる領域の数、位置及び面積）や高周波領域情報（即ち、所定周波数よりも低い周波数成分からなる領域の数、位置及び面積）を抽出する。【００４７】
特徴データ生成部２６０は、時間情報抽出部２１０によって抽出された時間情報と、色特性分析部２２０、輝度特性分析部２３０、動き特性分析部２４０及び空間周波数特性分析部２５０によって分析された各分析結果（即ち、抽出された各特性）とに基づいて、特徴データを生成する。【００４８】
図２は、本実施形態に係る特徴データの書式を概念的に示す概念図である。【００４９】
図２に示すように、特徴データ５０は、フレーム番号に対して輝度特性、色特性、カメラワーク情報、動き領域情報、低周波領域情報及び高周波領域情報が対応づけられたデータとして特徴データ生成部２６０によって生成される。言い換えれば、特徴データ生成部２６０は、色特性分析部２２０、輝度特性分析部２３０、動き特性分析部２４０及び空間周波数特性分析部２５０によって分析された各分析結果を、フレーム単位で統合化することで特徴データ５０を生成する。より具体的には、フレーム番号に係る項目５０Ａに、時間情報抽出部２１０によって抽出された時間情報としてのフレーム番号が記録され、輝度特性に係る項目５０Ｂに、輝度特性分析部２３０によって抽出された平均輝度、最大輝度及び最小輝度が記録され、色特性に係る項目５０Ｃに、色特性分析部２２０によって抽出された支配色が記録され、カメラワークに係る項目５０Ｄに、動き特性分析部２４０によって抽出されたカメラワーク情報が記録され、低周波領域に係る項目５０Ｆに、空間周波数特性分析部２５０によって抽出された低周波領域情報が記録され、高周波領域に係る項目５０Ｇに、空間周波数特性分析部２５０によって抽出された高周波領域情報が記録されることで、特徴データ５０が生成される。【００５０】
再び図１において、特徴データ蓄積部２７０は、特徴データ生成部２６０によって生成された特徴データを蓄積する。特徴データ蓄積部２７０は、例えばハードディスク、メモリ等の記録媒体を含んでいる。【００５１】
尚、映像分析部２００は、映像データとは別に時間情報が入力されるように構成してもよい。この場合には、映像分析部２００は、時間情報抽出部２１０を有さない構成とすることができる。また、色特性分析部２２０、輝度特性分析部２３０、動き特性分析部２４０及び空間周波数特性分析部２５０に加えて、映像の他の特性を分析する他の特性分析手段を追加して、該他の特性分析手段による分析結果が特徴データに含まれるようにしてもよい。また、色特性分析部２２０、輝度特性分析部２３０、動き特性分析部２４０及び空間周波数特性分析部２５０によって分析された各分析結果に基づいて、複数の特徴データが生成されるようにしてもよい、即ち、特徴データをフレーム単位で統合化しなくてもよい。【００５２】
図１において、編集制御部３００は、特徴指定部３１０と、シーン特定部３２０と、履歴保持部３３０と、履歴比較部３４０とを有している。【００５３】
特徴指定部３１０は、映像データに係る映像のうち編集対象として特定すべきシーンの特徴をユーザが指定可能に構成されている。特徴指定部３１０は、編集対象として特定すべきシーンの特徴をユーザが入力するためのＧＵＩ（グラフィカルユーザインターフェース）を有している。【００５４】
図３は、本実施形態に係る特徴指定部におけるＧＵＩを示す図である。【００５５】
図３に示すように、特徴指定部３１０は、ユーザがＧＵＩ７０のチェックボックス７６にチェックマーク７７を入力することにより、編集対象として特定すべきシーンの特徴の種類として「手ブレ」、「ズーム速度」、「パンゆらぎ」、「黒つぶれ」及び「ボケ領域」の少なくとも１つを選択可能に構成されている。図３の例では、チェックボックス７６にチェックマーク７７が入力されている「手ブレ」及び「ズーム速度」が、編集対象として特定すべきシーンの特徴の種類として選択されている。更に、特徴指定部３１０は、ユーザがレベル指定部７９を操作する（即ち、レベル表示７９ｂをレベル目盛り７９ａに対して相対的に左右方向に移動させる）ことにより、編集対象として特定すべきシーンの特徴のレベル（或いは指標値）を指定することが可能に構成されている。【００５６】
尚、「黒つぶれ」とは、撮影の際に逆光であったシーンを編集対象として特定するか否かを判定する基準となる特徴であり、「ボケ領域」とは、撮影の際に焦点がずれた（即ち、ピンボケの）シーンを編集対象として特定するか否かを判定する基準となる特徴である。【００５７】
ＧＵＩ７０には、編集ボタン７１及び７２が設けられている。編集ボタン７１がユーザによって押下される（或いは選択される）ことで、映像の編集（本実施形態では、シーン特定部３２０によって特定されたシーンの削除）が実行される。編集ボタン７２がユーザによって押下されることで、直前に行った映像の編集が取り消される。【００５８】
図４に変形例として示すように、特徴指定部は、図３を参照して上述したＧＵＩ７０に代えて、ＧＵＩ８０を有していてもよい。ここに図４は、変形例における図３と同趣旨の図である。【００５９】
即ち、特徴指定部は、ユーザがＧＵＩ８０の特徴指定部Ｃ１〜Ｃｎ（但し、ｎは自然数）に、例えば、特徴指定部Ｃ１〜Ｃｎの各々に対応する特徴のレベルを数値で入力することで、編集対象として特定すべきシーンの種類及びレベルを指定可能に構成されてもよい。編集ボタン８１がユーザによって押下されることで、映像の編集が実行され、編集ボタン８２がユーザによって押下されることで、直前にした映像の編集が取り消されるようにしてもよい。【００６０】
再び図１及び図３において、特徴指定部３１０は、ＧＵＩ７０の編集ボタン７１がユーザによって押下されると、制御データを生成し、後述するシーン特定部３２０に出力する。【００６１】
図５は、本実施形態に係る制御データの一例を概念的に示す概念図である。【００６２】
図５に示すように、制御データ５００は、編集種別に係る項目５００Ａ及び特徴情報に係る項目５００Ｂからなる。編集種別に係る項目５００Ａは、ユーザによって指定された編集の種別（即ち、編集種別）を示し、特徴情報に係る項目５００Ｂは、編集対象として特定すべきシーンの特徴としてユーザによって指定された特徴の情報（即ち、特徴情報）を示す。図５の例では、図３において編集ボタン７１がユーザによって押下された場合に生成される制御データを示しており、制御データ５０は、「振動が８以上の手ブレ又は速度が６以上のズーム」という特徴が指定され、該指定された特徴に合致する特徴を有するシーンを削除するという編集種別が指定されたことを意味する。尚、編集種別に係る項目５００Ａにおける「Delete」は、「シーンの削除」を意味し、特徴情報に係る項目５００Ｂにおける「cw=shake and Vvar≧8」は、振動が８以上の手ブレを意味し、「cw=Zoom and Vave≧6」は、速度が６以上のズームを意味する。【００６３】
再び図１において、シーン特定部３２０は、映像データに係る映像のうち特徴指定部３１０によって指定された特徴に合致する特徴を有するシーンを特定する。より具体的には、シーン特定部３２０は、特徴指定部３１０から入力される制御データに含まれる特徴情報（図５参照）に従って、特徴データ蓄積部２７０に蓄積された特徴データ（図２参照）を検索することにより、特徴指定部３１０によって指定された特徴に合致する特徴を有するシーンを特定する。即ち、図５を参照して上述した「振動が８以上の手ブレ」という特徴に合致する特徴を有するシーンとして、図２におけるカメラワークに係る項目５０Ｄの種別が「手ブレ」であり速度分散が８以上であるフレーム番号のフレームからなるシーンを特定し、図５を参照して上述した「速度が６以上のズーム」という特徴に合致する特徴を有するシーンとして、図２におけるカメラワークに係る項目５０Ｄの種別が「ズーム」であり平均速度が６以上であるフレーム番号のフレームからなるシーンを特定する。【００６４】
更に、シーン特定部３２０は、特定したシーンの開始及び終了時刻を含むシーン情報を生成して、後述する履歴保持部３３０に出力する。【００６５】
履歴保持部３３０は、シーン特定部３２０から入力されるシーン情報の履歴を保持する。履歴保持部３３０は、例えばハードディスク、メモリ等の記録媒体を含んでいる。【００６６】
図６は、履歴保持部によって保持されるシーン情報の履歴の一例を概念的に示す概念図である。【００６７】
図６において、シーン情報の履歴６５０は、複数のシーン情報６００（具体的には、シーン情報６００（１）、６００（２）、…）からなる。各シーン情報６００は、編集番号に係る項目６００Ａと、編集種別に係る項目６００Ｂと、ＩＮフレームに係る項目６００Ｃと、ＯＵＴフレームに係る項目６００Ｄと、特徴情報に係る項目６００Ｅとからなる。編集番号に係る項目６００Ａは、編集対象として特定すべきシーンの特徴がユーザによって指定される毎（言い換えれば、特徴指定部３１０によって制御データが生成される毎）にその指定された順番が識別可能なように一意に定められる番号である。編集種別に係る項目６００Ｂ及び特徴情報に係る項目６００Ｅは、図５を参照して上述した制御データにおける編集種別に係る項目５００Ａ及び特徴情報に係る項目５００Ｂに夫々対応している。ＩＮフレームに係る項目６００Ｃは、シーン特定部３２０によって特定されたシーンが開始する開始フレームのフレーム番号であり、ＯＵＴフレームに係る項目６００Ｄは、シーン特定部３２０によって特定されたシーンが終了する終了フレームのフレーム番号である。図６の例では、シーン情報６００（１）は、編集番号に係る項目６００Ａが「１」である１回目のユーザによる編集操作によって、特徴情報に係る項目６００Ｅが「振動が８以上の手ブレ」（図５も参照）であり編集種別に係る項目６００Ｂが「シーンの削除」（図５も参照）であるシーンとして特定されたシーンが２つ（２行分）あることを示している。更に、シーン情報６００（１）は、該２つのシーンのうち一のシーンの開始フレームのフレーム番号が２００で終了フレームのフレーム番号が４００であり、他のシーンの開始フレームのフレーム番号が９００で終了フレームのフレーム番号が１０５０であることを示している。また、シーン情報６００（２）は、編集番号に係る項目６００Ａが「２」である２回目のユーザによる編集操作によって、特徴情報に係る項目６００Ｅが「振動が８以上の手ブレ又は速度が６以上のズーム」（図５も参照）であり編集種別に係る項目６００Ｂが「シーンの削除」（図５も参照）であるシーンとして特定されたシーンが３つ（３行分）あることを示している。更に、シーン情報６００（２）は、該３つのシーンのうち一のシーンの開始フレームのフレーム番号が２００で終了フレームのフレーム番号が４００であり、他のシーンの開始フレームのフレーム番号が９００で終了フレームのフレーム番号が１０５０であり、更に他のシーンの開始フレームのフレーム番号が６００で終了フレームのフレーム番号が７００であることを示している。【００６８】
再び図１において、履歴比較部３４０は、履歴保持部３３０に保持されたシーン情報の履歴に含まれる少なくとも２つシーン情報を比較することにより、これらのシーン情報が互いに異なる差異部分又は互いに共通する共通部分を抽出可能に構成されている。【００６９】
図６において、例えば、シーン情報６００（１）とシーン情報６００（２）との差異部分として、シーン情報６００（２）に含まれる、特徴情報に係る項目６００Ｅが「速度が６以上のズーム」（即ち、「cw=Zoom and Vave≧6」）として特定された、開始フレームのフレーム番号が６００で終了フレームのフレーム番号が７００の部分が履歴比較部３４０によって抽出される。或いは、例えば、シーン情報６００（１）とシーン情報６００（２）との共通部分として、シーン情報６００（１）及び６００（２）のいずれにも含まれる、特徴情報に係る項目６００Ｅが「振動が８以上の手ブレ」（即ち、「cw=shake and Vvar≧8」）として特定された、開始フレームのフレーム番号が２００で終了フレームのフレーム番号が４００の部分と開始フレームのフレーム番号が９００で終了フレームのフレーム番号が１０５０の部分とが履歴比較部３４０によって抽出される。【００７０】
図１において、編集結果確認部４００は、本発明に係る「提示手段」の一例であり、編集結果表示部４１０と、再生部４２０とを有している。【００７１】
編集結果表示部４１０は、編集制御部３００（より具体的には、履歴比較部３４０）から入力されるシーン情報（より具体的には、上述した差異部分又は共通部分）を、編集結果として、編集結果確認部４００が有する或いは外部に設けられたディスプレイの画面上にグラフィカルに表示する。【００７２】
再生部４２０は、シーン情報の差異部分又は共通部分に対応するシーンを再生可能に構成されている。即ち、再生部４２０は、シーン情報の差異部分又は共通部分に対応するシーンの映像データを、映像データ蓄積部１００から読み出して再生することが可能に構成されている。【００７３】
図７は、編集結果表示部による表示の一例を示す図である。【００７４】
図７に示すように、編集結果表示部４１０によって編集結果が表示される表示画面７００には、映像表示領域７０１と、第１シーン情報表示部７１０と、第２シーン情報表示部７２０と、目盛り部７３０と、再生位置表示７４０と、シーン情報選択ボタン７８０と、確認方法選択ボタン７９０とが表示されている。【００７５】
映像表示領域７０１には、再生部４２０によって再生されたシーンが表示される。【００７６】
第１シーン情報表示部７１０は、映像データに係る映像のうち編集対象としてユーザによって特定された特徴に合致する特徴を有さないシーン（即ち、ユーザによって特定されなかったシーン）の映像全体における位置を表示する。第１シーン情報表示部７１０は、全体が長方形状に表示され、ユーザによって特定されなかったシーンの位置を示す非特定部表示７６０が該長方形内に表示されている。【００７７】
第２シーン情報表示部７２０は、映像データに係る映像のうち編集対象としてユーザによって特定された特徴に合致する特徴を有するシーン（即ち、ユーザによって特定されたシーン）の映像全体における位置を表示する。第２シーン情報表示部７２０は、第１シーン情報表示部７１０と同様に全体が長方形状に表示され、ユーザによって特定されたシーンの位置を示す特定部表示７５０が該長方形内に表示されている。【００７８】
特定部表示７５０は、差異部分表示７７１及び共通部分表示７７２として表示される。【００７９】
差異部分表示７７１は、ユーザが後述するシーン情報選択ボタン７８０によりシーン情報の履歴６５０に含まれる一のシーン情報と他のシーン情報とを選択した場合、一のシーン情報と他のシーン情報とが互いに異なる差異部分に対応するシーンの位置を表示する。【００８０】
共通部分表示７７２は、ユーザが後述するシーン情報選択ボタン７８０によりシーン情報の履歴６５０に含まれる一のシーン情報と他のシーン情報とを選択した場合、一のシーン情報と他のシーン情報とが互いに共通する共通部分に対応するシーンの位置を表示する。【００８１】
差異部分表示７７１及び共通部分表示７７２は、互いに異なる色或いはパターンで表示され、これによりユーザが差異部分表示７７１及び共通部分表示７７２を識別可能となっている。【００８２】
より具体的には、例えば、図６に示したシーン情報の履歴６５０におけるシーン情報６００（１）とシーン情報６００（２）とをユーザが選択した場合には、差異部分表示７７１は、差異部分である、特徴情報に係る項目６００Ｅが「速度が６以上のズーム」（即ち、「cw=Zoom and Vave≧6」）として特定された開始フレームのフレーム番号が６００で終了フレームのフレーム番号が７００の部分を表示し、共通部分表示７７２は、共通部分である、特徴情報に係る項目６００Ｅが「振動が８以上の手ブレ」（即ち、「cw=shake and Vvar≧8」）として特定された開始フレームのフレーム番号が２００で終了フレームのフレーム番号が４００の部分と開始フレームのフレーム番号が９００で終了フレームのフレーム番号が１０５０の部分とを表示する。【００８３】
このように、ユーザが差異部分表示７７１及び共通部分表示７７２を識別可能となっているので、ユーザは、例えば、差異部分表示７７１又は共通部分表示７７２に基づいて、ユーザが意図する編集結果を得るために次に行うべき編集操作を容易に決定することができる。【００８４】
目盛り部７３０は、第１シーン情報表示部７１０及び第２シーン情報表示部７２０の各々の長方形の一辺に対応して表示されており、目盛り部７３０の全体の長さが、映像データに係る映像全体の長さを意味している。【００８５】
再生位置表示７４０は、再生部４２０によって再生される（言い換えれば、映像表示領域７０１に表示される）シーンの再生位置を示す。即ち、再生位置表示７４０が再生部４２０によって再生されるシーンの再生位置に応じて目盛り部７３０に沿って移動することで、ユーザは該再生位置を認識できる。【００８６】
シーン情報選択ボタン７８０は、ユーザがシーン情報の履歴６５０から、第１シーン情報表示部７１０及び第２シーン情報表示部７２０に表示させるべきシーン情報を選択するためのＧＵＩである。【００８７】
確認方法選択ボタン７９０は、ユーザが映像表示領域７０１にシーンを表示させる表示方法を選択するためのＧＵＩであり、特定部表示７５０に対応するシーンの全てを再生して表示させるか、特定部表示７５０のうち差異部分表示７７１に対応するシーンのみを再生して表示させるかを選択することができる。即ち、確認方法選択ボタン７９０は、選択ボタン７９１及び７９２からなり、選択ボタン７９１が押下されることにより、特定部表示７５０に対応するシーンの全てを再生して表示させる表示方法が選択され、選択ボタン７９２が押下されることにより、特定部表示７５０のうち差異部分表示７７１に対応するシーンのみを再生して表示させる表示方法が選択される。【００８８】
次に、本実施形態に係る動画編集装置の動作について、図８及び図９を参照して説明する。ここに図８及び図９は、本実施形態に係る動画編集装置の動作を概念的に示すフローチャートである。尚、図８は、本実施形態に係る映像データ蓄積部及び映像分析部に係る動作を主に示しており、図９は、本実施形態に係る編集制御部及び編集結果確認部に係る動作を主に示している。【００８９】
以下では、先ず、ユーザが映像データを編集する際における、動画編集装置１０の基本的な動作について説明する。尚、ユーザが映像データの編集を行う際には、先ず、図８を参照して後述する映像データ蓄積部及び映像分析部に係る動作が行われ、次に、図９を参照して後述する編集制御部及び編集結果確認部に係る動作が、典型的には複数回繰り返される。【００９０】
図８において、先ず、映像データ蓄積部１００及び映像分析部２００に映像データが入力される（ステップＳ１１）。即ち、ユーザによって映像データを編集する編集作業が開始される際、その映像データが映像データ蓄積部１００及び映像分析部２００の各々に入力される。この際、映像データ蓄積部１００は、入力された映像データを蓄積する。【００９１】
次に、映像分析部２００は、映像データを分析して特徴データを生成する（ステップＳ１２）。即ち、映像分析部２００は、先ず、時間情報抽出部２１０によって時間情報を抽出すると共に、色特性分析部２２０、輝度特性分析部２３０、動き特性分析部２４０及び空間周波数特性分析部２５０によって映像データを分析する。次に、映像分析部２００は、時間情報抽出部２１０によって抽出した時間情報と、色特性分析部２２０、輝度特性分析部２３０、動き特性分析部２４０及び空間周波数特性分析部２５０によって映像データを分析した分析結果（即ち、色特性、輝度特性、動き特性及び空間周波数特性）とに基づいて、図２を参照して上述した特徴データ５０を生成する。生成された特徴データは、特徴データ蓄積部２７０に蓄積される。【００９２】
続いて、図９において、特徴指定部３１０は、ユーザの編集操作に対応する制御データを生成する（ステップＳ２１）。即ち、特徴指定部３１０は、図３を参照して上述したＧＵＩ７０を介してユーザから入力される、編集対象として特定すべきシーンの特徴に基づいて、図５を参照して上述した制御データ５００を生成する。【００９３】
次に、シーン特定部３２０は、制御データに含まれる特徴情報に合致する特徴を有するシーンを特定し、シーン情報を生成する（ステップＳ２２）。即ち、シーン特定部３２０は、特徴指定部３１０によって生成された制御データに含まれる特徴情報（図５参照）に従って、特徴データ蓄積部２７０に蓄積された特徴データ（図２参照）を検索することにより、特徴指定部３１０によって指定された特徴に合致する特徴を有するシーンを特定する。【００９４】
次に、履歴保持部３３０は、シーン情報の履歴を保持する（ステップＳ２３）。即ち、履歴保持部３３０は、図６を参照して上述したシーン情報の履歴６５０を保持することで、シーン特定部３２０から入力されるシーン情報を順序付けて保存或いは管理する。つまり、履歴保持部３３０は、シーン特定部３２０によって生成されたシーン情報が入力される毎に、シーン情報に当該シーン情報が入力された順番が識別可能な編集番号を付して、シーン情報の履歴に追加する。【００９５】
次に、履歴比較部３４０は、複数のシーン情報を比較して差異部分又は共通部分を抽出する（ステップＳ２４）。即ち、履歴比較部３４０は、例えば、図６を参照して上述したように、ユーザにより指定された２つのシーン情報（例えばシーン情報６００（１）及び６００（２））について、この２つのシーン情報が互いに異なる差異部分又は互いに共通する共通部分を抽出する。【００９６】
次に、編集結果表示部４１０は、差異部分又は共通部分を画面上に表示する（ステップＳ２５）。即ち、編集結果表示部４１０は、図７を参照して上述したように、第１シーン情報表示部７１０にユーザによって特定されなかったシーンの映像全体における位置を示す非特定部表示７６０を表示すると共に、第２シーン情報表示部７２０にユーザによって特定されたシーンの映像全体における位置を示す特定部表示７５０を表示する。編集結果表示部４１０は、特定部表示７５０を差異部分表示７７１及び共通部分表示７７２として表示する。よって、ユーザは、差異部分表示７７１及び共通部分表示７７２を見ることで、指定した２つのシーン情報の差異部分及び共通部分を識別することができる。従って、ユーザは、例えば、差異部分又は共通部分に基づいて、ユーザが意図する編集結果を得るために次に行うべき編集作業を容易に決定することができる。この結果、ユーザは容易に編集作業を行うことができる。【００９７】
次に、再生部４２０は、差異部分又は共通部分に相当する映像データを映像データ蓄積部１００から読み出して再生する（ステップＳ２６）。即ち、再生部４２０は、ユーザからの指示に従って、映像データ蓄積部１００に蓄積された映像データのうち、履歴比較部３４０によって抽出された差異部分又は共通部分に相当するシーン（即ち、図７を参照して上述した差異部分表示７７１又は共通部分表示７７２に相当するシーン）を再生する。再生された映像は、表示画面７００（図７参照）における映像表示領域７０１に表示される。よって、ユーザは、差異部分又は共通部分に相当するシーンが、ユーザの意図するシーンである否かを容易に判断することができる。この際、ユーザは、再生位置表示７４０（図７参照）によって再生位置を認識することができる。【００９８】
ユーザは、映像表示領域７０１に表示された映像（即ち、差異部分表示７７１又は共通部分表示７７２に相当するシーン）を確認した後、編集結果がユーザの意図する結果とは異なる場合には、編集対象として特定すべきシーンの特徴を変更して特徴指定部３１０によって再び指定する（ステップＳ２１）。ステップＳ２１からステップＳ２５までの一連の処理は、典型的には、編集結果がユーザの意図する結果と一致するまで繰り返される。【００９９】
次に、ユーザが本実施形態に係る動画編集装置を用いて映像データの編集を行う際に編集結果表示部によって表示される編集結果の一例について、図１０から図１３を参照して説明する。ここに図１０から図１３の各々は、ユーザが本実施形態に係る動画編集装置を用いて映像データの編集を行う際に編集結果表示部によって表示される編集結果の一例を示す図であり、各図における（ａ）は、特徴指定部によって指定される特徴を図３に対応して示しており、（ｂ）は、（ａ）に示されたように特徴が指定された場合における、編集結果表示部によって表示される編集結果を図７に対応して示している。また、図１０から図１３は、特徴指定部による特徴の指定がこの順に行われた場合における、編集結果表示部による編集結果の一例を示している。図１０から図１３の各々は、図９を参照して上述した編集制御部及び編集結果確認部に係る動作に相当する。【０１００】
図１０に示すように、ユーザがＧＵＩ７０のチェックボックス７６のいずれにもチェックマーク７７（図３参照）を入力しない場合（即ち、特徴指定部３１０によって特徴が指定されない場合）には、表示画面７００における第１シーン情報表示部７１０に、編集対象として特定された特徴に合致する特徴を有さないシーンが映像全体であることを示すように、非特定部表示７６０が第１シーン情報表示部７１０の長方形全体に表示される。言い換えれば、第２シーン情報表示部７２０には、特定部表示７５０（図７参照）は表示されない。【０１０１】
尚、図１０から図１３の例では、シーン情報選択ボタン７８０のうち「最新」に係るボタンが選択されており、ユーザによる最新の編集操作に係るシーン情報とその直前の編集操作に係るシーン情報とが、第１シーン情報表示部７１０及び第２シーン情報表示部７２０に表示させるべきシーン情報として選択されている。更に、確認方法選択ボタン７９０のうち「変化分」に係るボタン（即ち、図７を参照して上述した選択ボタン７９２）が選択されており、差異部分表示７７１に対応するシーンのみを再生して表示させる表示方法が選択されている。【０１０２】
次に、図１１に示すように、ユーザが「手ブレ」に対応するチェックボックス７６にチェックマーク７７を入力して編集ボタン７１を押下すると（即ち、特徴指定部３１０によって特徴の種類として「手ブレ」がそのレベルと共に指定され、「シーンの削除」が実行されると）、指定された特徴に合致する特徴を有するシーン（即ち、指定されたレベルよりも大きな「手ブレ」が含まれるシーン）の位置（即ち、該シーンの開始及び終了時刻）を示す特定部表示７５０が第２シーン情報表示部７２０に表示される。【０１０３】
ここで、図１０では、上述したように編集対象として特定された特徴に合致する特徴を有するシーンがなかった（即ち、特定部表示７５０が表示されなかった）ため、図１１では、特定部表示７５０は、差異部分表示７７１として表示される。【０１０４】
更に、差異部分表示７７１に対応するシーンが、再生部４２０によって再生され、映像表示領域７０１に表示される。よって、ユーザは、編集対象として特定されたシーンの確認作業を容易に行うことができる。即ち、差異部分表示７７１に対応するシーンが映像表示領域７０１に表示されることで、最新の編集操作による編集結果とその直前の編集操作による編集結果との差異（言い換えれば、変化分）を、容易に確認することができる。つまり、仮に編集操作を行う毎にユーザが編集された映像の全部を確認する場合と比較して、編集結果の確認に要する時間を短くすることができる。【０１０５】
次に、図１２に示すように、ユーザが「手ブレ」及び「ズーム速度」にそれぞれ対応するチェックボックス７６にチェックマーク７７を入力して編集ボタン７１を押下すると（即ち、特徴指定部３１０によって特徴の種類として「手ブレ」及び「ズーム速度」がそのレベルと共に指定され、「シーンの削除」が実行されると）、指定された特徴に合致する特徴を有するシーン（即ち、指定されたレベルよりも大きな「手ブレ」が含まれるシーンと指定されたレベルよりも大きな「ズーム速度」が含まれるシーン）の位置を示す特定部表示７５０が第２シーン情報表示部７２０に表示される。ここで特に、特定部表示７５０は、差異部分表示７７１及び共通部分表示７７２として表示される。即ち、特定部表示７５０のうち、図１１において特定されたシーンと互いに同じシーンを示す特定部表示７５０は共通部分表示７７２として表示され、図１１において特定されたシーンと互いに異なるシーンを示す特定部表示７５０は差異部分表示７７１として表示される。つまり、図１２において指定されたレベルよりも大きな「手ブレ」が含まれるシーンは、図１１において特定されたシーンと同じであるため、共通部分表示７７２として表示され、図１２において指定されたレベルよりも大きな「ズーム速度」が含まれるシーンは、図１１において特定されたシーンとは異なるため、差異部分表示７７１として表示される。よって、ユーザは、図１１においてシーンの特徴として「手ブレ」を指定した後に、図１２においてシーンの特徴として「手ブレ」に加えて「ズーム速度」を追加したことにより「シーンの削除」の対象として追加されたシーンを、差異部分表示７７１を見ることで認識することができる。更に、差異部分表示７７１に対応するシーンが、再生部４２０によって再生され、映像表示領域７０１に表示される。よって、ユーザは、差異部分表示７７１に対応するシーンのみを確認することができ、編集作業に要する時間及び労力或いは手間を低減できる。言い換えれば、図１２において、ユーザは、図１１において特定されたシーンと互いに同じシーンを示す共通部分表示７７２に対応するシーンの確認を省略することができる。【０１０６】
次に、図１３に示すように、ユーザが「手ブレ」及び「ズーム速度」にそれぞれ対応するチェックボックス７６にチェックマーク７７を入力すると共に、「手ブレ」のレベルを図１２において指定された「手ブレ」のレベルよりも大きな値に指定して編集ボタン７１を押下すると、指定された特徴に合致する特徴を有するシーンの位置を示す特定部表示７５０が第２シーン情報表示部７２０に表示される。ここで特に、特定部表示７５０は、図１２において特定されたシーンと互いに同じシーンを示す共通部分表示７７２として表示される。更に、非特定部表示７６０の一部７６０ａは、図１２において特定されたシーンのうち図１３において特定されなかったシーンを示す差異部分表示７７１として表示される。よって、ユーザは、図１３においてシーンの特徴として「手ブレ」のレベルを大きな値に指定したことにより図１２において特定された「シーンの削除」の対象となるシーンから除外されたシーンを、差異部分表示７７１（言い換えれば、非特定部表示７６０の一部７６０ａ）を見ることで認識することができる。更に、差異部分表示７７１に対応するシーンが、再生部４２０によって再生され、映像表示領域７０１に表示される。よって、ユーザは、差異部分表示７７１に対応するシーンのみを確認することができ、編集作業に要する時間及び労力或いは手間を低減できる。言い換えれば、ユーザは、追加した特徴に合致する特徴を有するシーンのみを確認することで、仮に編集された映像の全部を確認する場合と比較して、編集に要する時間を短くできると共に労力を低減できる。ここで、ユーザは、典型的には、追加した特徴に合致する特徴を有するシーンのみを確認すれば、編集結果がユーザの意図するものであるか否かを判断できる程度に、以前の編集結果を記憶している。よって、ユーザは、追加した特徴に合致する特徴を有するシーンのみを確認することで、ユーザが意図する編集結果を得るために次に行うべき編集操作を決定することができる。【０１０７】
次に、ユーザが本実施形態に係る動画編集装置を用いて映像データの編集を行う際に編集結果表示部によって表示される編集結果の他の例について、図１４及び図１５を参照して説明する。ここに図１４及び図１５はそれぞれ、ユーザが本実施形態に係る動画編集装置を用いて映像データの編集を行う際に編集結果表示部によって表示される編集結果の他例を示す図であり、各図における（ａ）は、特徴指定部によって指定される特徴を図３に対応して示しており、（ｂ）は、（ａ）に示されたように特徴が指定された場合における、編集結果表示部によって表示される編集結果を図７に対応して示している。また、図１４及び図１５は、特徴指定部による特徴の指定がこの順に行われた場合における、編集結果表示部による編集結果の他の例を示している。図１４及び図１５の各々は、図９を参照して上述した編集制御部及び編集結果確認部に係る動作に相当する。【０１０８】
尚、図１４及び図１５の例では、シーン情報選択ボタン７８０のうち「最新」に係るボタンが選択されており、ユーザによる最新の編集操作に係るシーン情報とその直前の編集操作に係るシーン情報とが、第１シーン情報表示部７１０及び第２シーン情報表示部７２０に表示させるべきシーン情報として選択されている。更に、確認方法選択ボタン７９０のうち「変化分」に係るボタン（即ち、図７を参照して上述した選択ボタン７９２）が選択されており、差異部分表示７７１に対応するシーンのみを再生して表示させる表示方法が選択されている。【０１０９】
図１４に示すように、映像データの編集の際、先ず、ユーザが「手ブレ」に対応するチェックボックス７６にチェックマーク７７を入力して編集ボタン７１を押下すると、指定された特徴に合致する特徴を有するシーンの位置を示す特定部表示７５０が第２シーン情報表示部７２０に表示される。この際、特定部表示７５０は、差異部分表示７７１として表示される。【０１１０】
次に、図１５に示すように、ユーザが「手ブレ」に対応するチェックボックス７６にチェックマーク７７を入力すると共に図１４において指定されたレベルよりも小さな「手ブレ」のレベルを指定して編集ボタン７１を押下すると、指定された特徴に合致する特徴を有するシーンの位置を示す特定部表示７５０が第２シーン情報表示部７２０に表示される。この際、特定部表示７５０は、図１４において特定されたシーンと互いに同じシーンを示す共通部分表示７７２及び図１４において特定されたシーンと互いに異なるシーンを示す差異部分表示７７１として表示される。ここで特に、差異部分表示７７１は、指定されたレベルに相対的に近い「手ブレ」のレベルを有するシーンの位置を示す第１表示７７１ａ、及び指定されたレベルから相対的に遠い「手ブレ」のレベルを有するシーンの位置を示す第２表示７７１ｂとして表示される。よって、ユーザは、第１表示７７１ａ又は第２表示７７１ｂに対応するシーンを選択的に再生部４２０によって再生させて映像表示領域７０１に表示させることで、ユーザは一層速やかに編集結果を確認することができる。言い換えれば、第１表示７７１ａ又は第２表示７７１ｂに対応するシーンの確認を省略することができる。特に、第１表示７７１ａに対応するシーン、即ち、指定されたレベルに相対的に近い「手ブレ」のレベルを有するシーンを確認することで、ユーザは指定した「手ブレ」のレベルが妥当であるかどうか、更には次の操作で、「手ブレ」のレベルを上げるべきか下げるべきかを容易に判断することができる。【０１１１】
本発明は、上述の実施形態で説明した動画編集装置以外にも、ＨＤＤレコーダ、ＤＶＤレコーダ、ビデオ編集用ソフトウェア、ビデオ編集機能搭載カムコーダ等にも適用可能である。【０１１２】
本発明は、上述した実施形態に限られるものではなく、請求の範囲及び明細書全体から読み取れる発明の要旨或いは思想に反しない範囲で適宜変更可能であり、そのような変更を伴う動画編集装置及び方法もまた本発明の技術的範囲に含まれるものである。
【図１】
2009019774.tif 000003
【図２】
2009019774.tif 000004
【図３】
2009019774.tif 000005
【図４】
2009019774.tif 000006
【図５】
2009019774.tif 000007
【図６】
2009019774.tif 000008
【図７】
2009019774.tif 000009
【図８】
2009019774.tif 000010
【図９】
2009019774.tif 000011
【図１０】
2009019774.tif 000012
【図１１】
2009019774.tif 000013
【図１２】
2009019774.tif 000014
【図１３】
2009019774.tif 000015
【図１４】
2009019774.tif 000016
【図１５】
2009019774.tif 000017
【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
動画を分析して該動画の特徴を得る動画分析手段と、
前記動画のうち編集対象として特定すべきシーンの特徴を指定可能な指定手段と、
前記動画のうち前記指定された特徴に合致する特徴を有するシーンを、前記編集対象として特定する特定手段と、
前記動画における前記特定されたシーンの開始及び終了時刻を含むシーン情報を提示する提示手段と、
前記特定されたシーンに係る前記シーン情報の履歴を保持する履歴保持手段と、
前記保持された履歴に含まれる少なくとも２つシーン情報を比較することにより、該少なくとも２つのシーン情報が互いに異なる差異部分又は互いに共通する共通部分を抽出する比較手段と
を備えたことを特徴とする動画編集装置。
【請求項２】
前記動画分析手段は、
前記動画を構成する複数のフレームの各々について色の特性を分析する色特性分析手段と、
前記動画を構成する複数のフレームの各々について輝度の特性を分析する輝度特性分析手段と、
前記動画を構成する複数のフレームの各々について動きの特性を分析する動き特性分析手段と、
前記動画を構成する複数のフレームの各々について空間周波数の特性を分析する空間周波数特性分析手段と
のうち少なくとも１つの特性分析手段を有することを特徴とする請求項１に記載の動画編集装置。
【請求項３】
前記指定手段は、前記特定すべきシーンの特徴の種類及びレベルを指定可能であり、
前記特定手段は、前記指定された種類の特徴について前記指定されたレベルを基準として前記合致するか否かを判定することにより、前記合致する特徴を有するシーンを特定することを特徴とする請求項１に記載の動画編集装置。
【請求項４】
（削除）
【請求項５】
前記提示手段は、前記特定されたシーンを再生する再生手段を有することを特徴とする請求項１に記載の動画編集装置。
【請求項６】
前記提示手段は、前記差異部分又は前記共通部分に対応するシーンを再生する再生手段を有することを特徴とする請求項１に記載の動画編集装置。
【請求項７】
動画を分析して該動画の特徴を得る動画分析工程と、
前記動画のうち編集対象として特定すべきシーンの特徴を指定する指定工程と、
前記動画のうち前記指定された特徴に合致する特徴を有するシーンを、前記編集対象として特定する特定工程と、
前記動画における前記特定されたシーンの開始及び終了時刻を含むシーン情報を提示する提示工程と、
前記特定されたシーンに係る前記シーン情報の履歴を保持する履歴保持工程と、
前記保持された履歴に含まれる少なくとも２つシーン情報を比較することにより、該少なくとも２つのシーン情報が互いに異なる差異部分又は互いに共通する共通部分を抽出する比較工程と
を備えたことを特徴とする動画編集方法。
【請求項８】
コンピュータを、
動画を分析して該動画の特徴を得る動画分析手段と、
前記動画のうち編集対象として特定すべきシーンの特徴を指定可能な指定手段と、
前記動画のうち前記指定された特徴に合致する特徴を有するシーンを、前記編集対象として特定する特定手段と、
前記動画における前記特定されたシーンの開始及び終了時刻を含むシーン情報を提示する提示手段と、
前記特定されたシーンに係る前記シーン情報の履歴を保持する履歴保持手段と、
前記保持された履歴に含まれる少なくとも２つシーン情報を比較することにより、該少なくとも２つのシーン情報が互いに異なる差異部分又は互いに共通する共通部分を抽出する比較手段と
として機能させることを特徴とするコンピュータプログラム。
【請求項９】
前記提示手段は、前記差異部分又は前記共通部分を更に提示することを特徴とする請求項１に記載の動画編集装置。
【請求項１０】
前記提示工程は、前記差異部分又は前記共通部分を更に提示することを特徴とする請求項７に記載の動画編集方法。
【請求項１１】
前記提示手段は、前記差異部分又は前記共通部分を更に提示することを特徴とする請求項８に記載のコンピュータプログラム。
【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
動画を分析して該動画の特徴を得る動画分析手段と、
前記動画のうち編集対象として特定すべきシーンの特徴を指定可能な指定手段と、
前記動画のうち前記指定された特徴に合致する特徴を有するシーンを、前記編集対象として特定する特定手段と、
前記動画における前記特定されたシーンの開始及び終了時刻を含むシーン情報を提示する提示手段と、
前記特定されたシーンに係る前記シーン情報の履歴を保持する履歴保持手段と、
前記保持された履歴に含まれる少なくとも２つシーン情報を比較することにより、該少なくとも２つのシーン情報が互いに異なる差異部分又は互いに共通する共通部分を抽出する比較手段と
を備えたことを特徴とする動画編集装置。
【請求項２】
前記動画分析手段は、
前記動画を構成する複数のフレームの各々について色の特性を分析する色特性分析手段と、
前記動画を構成する複数のフレームの各々について輝度の特性を分析する輝度特性分析手段と、
前記動画を構成する複数のフレームの各々について動きの特性を分析する動き特性分析手段と、
前記動画を構成する複数のフレームの各々について空間周波数の特性を分析する空間周波数特性分析手段と
のうち少なくとも１つの特性分析手段を有することを特徴とする請求項１に記載の動画編集装置。
【請求項３】
前記指定手段は、前記特定すべきシーンの特徴の種類及びレベルを指定可能であり、
前記特定手段は、前記指定された種類の特徴について前記指定されたレベルを基準として前記合致するか否かを判定することにより、前記合致する特徴を有するシーンを特定することを特徴とする請求項１に記載の動画編集装置。
【請求項４】
前記提示手段は、前記特定されたシーンを再生する再生手段を有することを特徴とする請求項１に記載の動画編集装置。
【請求項５】
前記提示手段は、前記差異部分又は前記共通部分に対応するシーンを再生する再生手段を有することを特徴とする請求項１に記載の動画編集装置。
【請求項６】
動画を分析して該動画の特徴を得る動画分析工程と、
前記動画のうち編集対象として特定すべきシーンの特徴を指定する指定工程と、
前記動画のうち前記指定された特徴に合致する特徴を有するシーンを、前記編集対象として特定する特定工程と、
前記動画における前記特定されたシーンの開始及び終了時刻を含むシーン情報を提示する提示工程と、
前記特定されたシーンに係る前記シーン情報の履歴を保持する履歴保持工程と、
前記保持された履歴に含まれる少なくとも２つシーン情報を比較することにより、該少なくとも２つのシーン情報が互いに異なる差異部分又は互いに共通する共通部分を抽出する比較工程と
を備えたことを特徴とする動画編集方法。
【請求項７】
コンピュータを、
動画を分析して該動画の特徴を得る動画分析手段と、
前記動画のうち編集対象として特定すべきシーンの特徴を指定可能な指定手段と、
前記動画のうち前記指定された特徴に合致する特徴を有するシーンを、前記編集対象として特定する特定手段と、
前記動画における前記特定されたシーンの開始及び終了時刻を含むシーン情報を提示する提示手段と、
前記特定されたシーンに係る前記シーン情報の履歴を保持する履歴保持手段と、
前記保持された履歴に含まれる少なくとも２つシーン情報を比較することにより、該少なくとも２つのシーン情報が互いに異なる差異部分又は互いに共通する共通部分を抽出する比較手段と
として機能させることを特徴とするコンピュータプログラム。
【請求項８】
前記提示手段は、前記差異部分又は前記共通部分を更に提示することを特徴とする請求項１に記載の動画編集装置。
【請求項９】
前記提示工程は、前記差異部分又は前記共通部分を更に提示することを特徴とする請求項６に記載の動画編集方法。
【請求項１０】
前記提示手段は、前記差異部分又は前記共通部分を更に提示することを特徴とする請求項７に記載のコンピュータプログラム。
【国際調査報告】
2009019774.tif 000018
2009019774.tif 000019